(57)【要約】【課題】ケーブルの配線時間を短縮できる磁気共鳴撮像装置を提供する。【解決手段】静磁場及び勾配磁場の下で被検体に高周波磁場を印加して受信した磁気共鳴信号に基づいて被検体Ｈ１の画像を生成する磁気共鳴撮像装置１は、基体４１と、基体４１に設けられ、所定の動作を行うデータ収集部１７や制御部２５等の動作部と、基体４１から突出する２本のパイプ４９と、２本のパイプ４９のうち基体４１から突出した部分に８の字に掛架され、一端が動作部に電気的に接続された複数のケーブル４とを備える。【選択図】図３
2007330595.tif 000002
【特許請求の範囲】
【請求項１】
被検体に磁場を印加して受信した磁気共鳴信号に基づいて前記被検体の画像を生成する磁気共鳴撮像装置であって、
基体と、
前記基体に設けられ、所定の動作を行う動作部と、
前記基体から突出する２本の棒状部材と、
前記２本の棒状部材のうち前記基体から突出した部分に８の字に掛架され、一端が前記動作部に電気的に接続された複数のケーブルと、
を備えた磁気共鳴撮像装置。
【請求項２】
前記動作部は、前記被検体の搬送、前記磁場の発生、前記磁気共鳴信号の受信、及び、前記被検体との交信のうち少なくともいずれか一つに関る動作を行う
請求項１に記載の磁気共鳴撮像装置。
【請求項３】
前記被検体が載置されるクレードルと、
前記クレードルを搬入可能な撮像空間を有し、前記撮像空間内に前記磁場を発生させ、前記被検体からの前記磁気共鳴信号を受信可能なマグネット部と、
を備え、
前記基体は、前記マグネット部から分離して搬送可能である
請求項１又は２に記載の磁気共鳴撮像装置。
【請求項４】
前記基体は、
前記マグネット部のうち前記クレードルの前記撮像空間への搬入搬出方向の端部に配置され、
前記クレードルを移動可能に支持する搬送路のうち一部を構成する上構造部と、
前記上構造部を支持し、前記クレードルの前記撮像空間への搬入搬出方向に直交する方向の幅が前記上構造部の幅よりも狭い下構造部と、
を備え、
前記２本の棒状部材は、前記下構造部の前記クレードルの搬入搬出方向に沿う側面から突出し、
前記複数のケーブルは、前記２本の棒状部材のうち前記側面から突出した部分に掛架されている
請求項３に記載の磁気共鳴撮像装置。
【請求項５】
前記基体は、前記マグネット部のうち前記クレードルの前記撮像空間への入出口とは反対側に配置される
請求項４に記載の磁気共鳴撮像装置。
【請求項６】
前記基体は、互いに対向し、前記クレードルの搬入搬出方向に沿う両側面を構成する第１板状部材及び第２板状部材を有し、
前記第１板状部材には、前記２本の棒状部材がそれぞれ挿通される２つの第１孔部が形成され、
前記第２板状部材には、前記２本の棒状部材がそれぞれ挿通される２つの第２孔部が形成され、
前記２本の棒状部材は、前記第１孔部及び前記第２孔部に挿通されて前記第１板状部材及び第２板状部材に掛架され、
前記複数のケーブルは、前記２本の棒状部材のうち前記第１板状部材から突出した部分に掛架されている
請求項３〜５のいずれか１項に記載の磁気共鳴撮像装置。
【請求項７】
前記第１孔部は、前記第２孔部よりも高い位置に設けられている
請求項６に記載の磁気共鳴撮像装置。
【請求項８】
前記２本の棒状部材には、前記第１板状部材のうち前記第１孔部を形成する下方側の縁部が挿入される係合溝と、前記第２板状部材のうち前記第２孔部を形成する上方側の縁部が挿入される係合溝とが形成されている
請求項６又は７に記載の磁気共鳴撮像装置。
【請求項９】
被検体に磁場を印加して受信した磁気共鳴信号に基づいて前記被検体の画像を生成する磁気共鳴撮像装置であって、
基体と、
前記基体に設けられ、所定の動作を行う動作部と、
前記基体から突出し、一端が前記動作部に電気的に接続された複数のケーブルを８の字に掛架可能な２本の棒状部材と、
を備えた磁気共鳴撮像装置。
【請求項１０】
被検体に磁場を印加して受信した磁気共鳴信号に基づいて前記被検体の画像を生成する磁気共鳴撮像装置であって、
前記被検体が載置されるクレードルと、
前記クレードルを搬入可能な撮像空間を有し、前記撮像空間内に前記磁場を発生させ、前記被検体からの前記磁気共鳴信号を受信可能なマグネット部と、
前記マグネット部のうち前記クレードルの前記撮像空間への搬入搬出方向の端部に配置され、前記マグネット部から分離して搬送可能な基体と、
前記基体に設けられ、所定の動作を行う動作部と、
一端が前記動作部に電気的に接続された複数のケーブルと、
を備え、
前記基体は、
前記クレードルを移動可能に支持する搬送路のうち一部を構成する上構造部と、
前記上構造部を支持し、前記クレードルの前記撮像空間への搬入搬出方向に直交する方向の幅が前記上構造部の幅よりも狭い下構造部と、
を備え、
前記下構造部は、互いに対向し、前記クレードルの搬入搬出方向に沿う両側面を構成する第１板状部材及び第２板状部材を有し、
複数のケーブルを掛架可能な２本の棒状部材を前記第１板状部材及び前記第２板状部材に掛架可能に、前記２本の棒状部材がそれぞれ挿通される２つの第１孔部が前記第１板状部材に、前記２本の棒状部材がそれぞれ挿通される２つの第２孔部が前記第２板状部材に形成され、
前記第１孔部は、前記第２孔部よりも高い位置に設けられている
磁気共鳴撮像装置。
【請求項１１】
被検体に磁場を印加して受信した磁気共鳴信号に基づいて前記被検体の画像を生成する磁気共鳴撮像装置の一部を構成するユニットに、８の字状に束ねられた複数のケーブルを保持させるとともに、前記複数のケーブルの一端をそれぞれ前記ユニットに接続した状態で前記ユニットを搬送する
磁気共鳴撮像装置の搬送方法。
【発明の詳細な説明】
【技術分野】
【０００１】
本発明は、磁気共鳴撮像装置及び磁気共鳴撮像装置の搬送方法に関する。
【背景技術】
【０００２】
磁気共鳴撮像装置は、被検体に磁場を印加するとともに被検体からの磁気共鳴信号を受信するマグネット部がマグネットルームに配置され、マグネット部の動作を制御する操作コンソールが操作ルームに配置される（例えば特許文献１）。マグネット部と操作コンソールとは、複数（例えば十本以上）のケーブルで接続されている。
【０００３】
磁気共鳴撮像装置の出荷時には、複数のケーブルは、同一方向に（コイル状に）巻き取られた状態でマグネット部とは別個に搬送され、磁気共鳴撮像装置を設置する現場にて解かれる。そして、マグネット部に接続されるとともに、マグネットルームと操作ルームとに連通するピットやダクトに収納される。複数のケーブルの必要長さはマグネットルームのサイズ等の磁気共鳴装置の設置環境によってばらつきがあることから、複数のケーブルの長さは余裕を持って設定されており、磁気共鳴撮像装置の設置後、複数のケーブルには余剰分が生じる。複数のケーブルの余剰分は、ノイズを軽減するために８の字状に巻かれて束ねられる。
【特許文献１】特開２００３−１９０１１２号公報
【発明の開示】
【発明が解決しようとする課題】
【０００４】
上記のような配線方法では、複数のケーブルの余剰分を８の字に巻いて長さを調整する作業と、複数のケーブルをユニットに接続する作業とが必要であり、磁気共鳴撮像装置のインスタレーション時間の短縮の妨げとなっており、ひいてはコストの増大を招いている。
【０００５】
本発明の目的は、ケーブルの配線時間を短縮できる磁気共鳴撮像装置及び磁気共鳴撮像装置の搬送方法を提供することにある。
【課題を解決するための手段】
【０００６】
本発明の第１の観点の磁気共鳴撮像装置は、被検体に磁場を印加して受信した磁気共鳴信号に基づいて前記被検体の画像を生成する磁気共鳴撮像装置であって、基体と、前記基体に設けられ、所定の動作を行う動作部と、前記基体から突出する２本の棒状部材と、前記２本の棒状部材のうち前記基体から突出した部分に８の字に掛架され、一端が前記動作部に電気的に接続された複数のケーブルと、を備える。
【０００７】
好適には、前記動作部は、前記被検体の搬送、前記磁場の発生、前記磁気共鳴信号の受信、及び、前記被検体との交信のうち少なくともいずれか一つに関る動作を行う。
【０００８】
好適には、前記被検体が載置されるクレードルと、前記クレードルを搬入可能な撮像空間を有し、前記撮像空間内に前記磁場を発生させ、前記被検体からの前記磁気共鳴信号を受信可能なマグネット部と、を備え、前記基体は、前記マグネット部から分離して搬送可能である。
【０００９】
好適には、前記基体は、前記マグネット部のうち前記クレードルの前記撮像空間への搬入搬出方向の端部に配置され、前記クレードルを移動可能に支持する搬送路のうち一部を構成する上構造部と、前記上構造部を支持し、前記クレードルの前記撮像空間への搬入搬出方向に直交する方向の幅が前記上構造部の幅よりも狭い下構造部と、を備え、前記２本の棒状部材は、前記下構造部の前記クレードルの搬入搬出方向に沿う側面から突出し、前記複数のケーブルは、前記２本の棒状部材のうち前記側面から突出した部分に掛架されている。
【００１０】
好適には、前記基体は、前記マグネット部のうち前記クレードルの前記撮像空間への入出口とは反対側に配置される。
【００１１】
好適には、前記基体は、互いに対向し、前記クレードルの搬入搬出方向に沿う両側面を構成する第１板状部材及び第２板状部材を有し、前記第１板状部材には、前記２本の棒状部材がそれぞれ挿通される２つの第１孔部が形成され、前記第２板状部材には、前記２本の棒状部材がそれぞれ挿通される２つの第２孔部が形成され、前記２本の棒状部材は、前記第１孔部及び前記第２孔部に挿通されて前記第１板状部材及び第２板状部材に掛架され、前記複数のケーブルは、前記２本の棒状部材のうち前記第１板状部材から突出した部分に掛架されている。
【００１２】
好適には、前記第１孔部は、前記第２孔部よりも高い位置に設けられている。
【００１３】
好適には、前記２本の棒状部材には、前記第１板状部材のうち前記第１孔部を形成する下方側の縁部が挿入される係合溝と、前記第２板状部材のうち前記第２孔部を形成する上方側の縁部が挿入される係合溝とが形成されている。
【００１４】
本発明の第２の観点の磁気共鳴撮像装置は、被検体に磁場を印加して受信した磁気共鳴信号に基づいて前記被検体の画像を生成する磁気共鳴撮像装置であって、基体と、前記基体に設けられ、所定の動作を行う動作部と、前記基体から突出し、一端が前記動作部に電気的に接続された複数のケーブルを８の字に掛架可能な２本の棒状部材と、を備える。
【００１５】
本発明の第３の観点の磁気共鳴撮像装置は、被検体に磁場を印加して受信した磁気共鳴信号に基づいて前記被検体の画像を生成する磁気共鳴撮像装置であって、前記被検体が載置されるクレードルと、前記クレードルを搬入可能な撮像空間を有し、前記撮像空間内に前記磁場を発生させ、前記被検体からの前記磁気共鳴信号を受信可能なマグネット部と、前記マグネット部のうち前記クレードルの前記撮像空間への搬入搬出方向の端部に配置され、前記マグネット部から分離して搬送可能な基体と、前記基体に設けられ、所定の動作を行う動作部と、一端が前記動作部に電気的に接続された複数のケーブルと、を備え、前記基体は、前記クレードルを移動可能に支持する搬送路のうち一部を構成する上構造部と、前記上構造部を支持し、前記クレードルの前記撮像空間への搬入搬出方向に直交する方向の幅が前記上構造部の幅よりも狭い下構造部と、を備え、前記下構造部は、互いに対向し、前記クレードルの搬入搬出方向に沿う両側面を構成する第１板状部材及び第２板状部材を有し、複数のケーブルを掛架可能な２本の棒状部材を２本の棒状部材を前記第１板状部材及び前記第２板状部材に掛架可能に、前記２本の棒状部材がそれぞれ挿通される２つの第１孔部が前記第１板状部材に、前記２本の棒状部材がそれぞれ挿通される２つの第２孔部が前記第２板状部材に形成され、前記第１孔部は、前記第２孔部よりも高い位置に設けられている。
【００１６】
本発明の第４の観点の磁気共鳴撮像装置の搬送方法は、被検体に磁場を印加して受信した磁気共鳴信号に基づいて前記被検体の画像を生成する磁気共鳴撮像装置の一部を構成するユニットに、８の字状に束ねられた複数のケーブルを保持させるとともに、前記複数のケーブルの一端をそれぞれ前記ユニットに接続した状態で前記ユニットを搬送する。
【発明の効果】
【００１７】
本発明よれば、ケーブルの配線時間を短縮できる磁気共鳴撮像装置及び磁気共鳴撮像装置の搬送方法を提供できる。
【発明を実施するための最良の形態】
【００１８】
図１は、本発明の実施形態に係る磁気共鳴撮像装置（ＭＲＩ装置）１の構成及び配置の概略を示す平面図である。
【００１９】
ＭＲＩ装置１は、スキャンルームＲ１に配置され、被検体Ｈ１の撮像を行う本体部２と、操作ルームＲ２に配置され、ＭＲＩ装置１に対するオペレータＨ２の操作を受け付ける操作コンソール３と、本体部２と操作コンソール３とを接続する複数のケーブル４（例えば１０本以上。図１では一本のみ例示）とを備えている。
【００２０】
スキャンルームＲ１は、本体部２からの放射電磁波の洩漏や外乱電磁波の進入を防止するように構成されている。複数のケーブル４は、ピットやダクトを介してスキャンルームＲ１から操作ルームＲ２へ延びている。
【００２１】
本体部２は、被検体Ｈ１を搬送するクレードル５と、被検体Ｈ１への磁場の印加や被検体からの磁気共鳴信号の受信を行うマグネット部６と、クレードル５の駆動やマグネット部６への信号の入出力等を行うペデストル（Ｐｅｄｅｓｔａｌ）７とを備えている。
【００２２】
クレードル５は、横臥した被検体Ｈ１を載置可能な大きさを有しており、支持部８（図３参照）に移動可能に支持されている。マグネット部６は、クレードル５を搬入可能な撮像空間（ボア）Ｂを有している。クレードル５は、被検体の体軸方向（図１の紙面上下方向）を搬入搬出方向として、入出口Ｂａを介して撮像空間Ｂへ出し入れされる。ペデストル７は、マグネット部６に対して入出口Ｂａとは反対側に配置されている。複数のケーブル４の少なくとも一部は、ペデストル７に接続されている。
【００２３】
図２は、ＭＲＩ装置１の信号処理系の構成を示すブロック図である。
【００２４】
マグネット部６は、静磁場マグネット部１１と、勾配コイル１２と、ＲＦコイル１３とを備えている。
【００２５】
静磁場マグネット部１１は、被検体が収容される撮像空間Ｂに静磁場を形成するために設けられている。静磁場マグネット部１１は、例えば、一対の永久磁石により構成され、静磁場の方向が被検体Ｈ１の体軸方向又は体軸に垂直な方向に沿うように構成されている。なお、静磁場マグネット部１１は、超伝導磁石により構成されていてもよい。
【００２６】
勾配コイル１２は、静磁場が形成された撮像空間Ｂに勾配磁場を形成し、ＲＦコイル１３が受信する磁気共鳴信号に位置情報を付加する。勾配コイル１２は、周波数エンコード勾配磁場を形成する第１勾配コイルと、位相エンコード勾配磁場を形成する第２勾配コイルと、スライス選択勾配磁場を形成する第３勾配コイルとの３系統有する。
【００２７】
ＲＦコイル１３は、静磁場マグネット部１１により静磁場が形成される撮像空間Ｂ内において、電磁波であるＲＦパルスを被検体に送信して高周波磁場を形成し、被検体Ｈ１の撮像領域におけるプロトンのスピンを励起する。また、ＲＦコイル１３は、励起された被検体Ｈ１内のプロトンから発生する電磁波を磁気共鳴信号として受信して出力する。ＲＦコイル１３は、例えば、被検体Ｈ１の体表面に配置されるサーフェイスコイルにより構成されている。
【００２８】
ペデストル７は、マグネット部６における磁場の発生や磁気共鳴信号の受信に関る処理を行うためにＲＦ駆動部１５、勾配駆動部１６及びデータ収集部１７を備え、クレードル５の搬送に関る処理を行うためにモータ１９及びモータ駆動部２０を備え、被検体Ｈ１との交信に関る処理を行うために表示部２２及び表示駆動部２３を備え、これら動作部の動作を制御するために制御部２５を備えている。なお、これらの一部はマグネット部６に設けられていてもよい。
【００２９】
ＲＦ駆動部１５は、ＲＦコイル１３を駆動させて撮像空間Ｂ内に高周波磁場を形成するための駆動信号をＲＦコイル１３に出力する。具体的には、ゲート変調器（不図示）とＲＦ電力増幅器（不図示）とＲＦ発振器（不図示）とを有している。ＲＦ駆動部１５は、制御部２５からの制御信号に基づいて、ＲＦ発振器からのＲＦ信号を、ゲート変調器を用いて所定のタイミングおよび所定の包絡線の信号に変調する。そして、ゲート変調器により変調されたＲＦ信号を、ＲＦ電力増幅器により増幅した後、ＲＦコイル１３に出力する。
【００３０】
勾配駆動部１６は、制御部２５からの制御信号に基づいて、勾配パルスを勾配コイル１２に印加して駆動させ、静磁場が形成されている撮像空間Ｂ内に勾配磁場を発生させる。勾配駆動部１６は、３系統の勾配コイル１２に対応して３系統の駆動回路（不図示）を有している。
【００３１】
データ収集部１７は、制御部２５からの制御信号に基づいて、ＲＦコイル１３が受信する磁気共鳴信号を収集して出力する。データ収集部１７は、位相エンコードと周波数エンコードとが施された磁気共鳴信号を、ｋ空間に対応するように収集する。データ収集部１７は、ＲＦコイル１３が受信する磁気共鳴信号をＲＦ駆動部１５のＲＦ発振器の出力を参照信号として位相検波器が位相検波した後に、そのアナログ信号の磁気共鳴信号をＡ／Ｄ変換器によりデジタル信号に変換する。そして、その収集した磁気共鳴信号をメモリに記憶後、出力する。
【００３２】
モータ１９は、例えばステップモータやサーボモータにより構成されており、モータ１９の回転は、ギアやベルトを含む伝達機構（不図示）を介してクレードル５に伝達される。これによりクレードル５は撮像空間Ｂに出し入れされる。モータ駆動部２０は、制御部２５からの制御信号に応じた駆動電流をモータ１９に出力し、モータ１９を駆動する。
【００３３】
表示部２２は、例えば液晶表示装置により構成されている。表示駆動部２３は、制御部２５からの制御信号に応じた映像信号を表示部２２に出力し、表示部２２に適宜な情報を表示させる。なお、交信に関る手段として、ペデストル７にはこの他、音声による交信を行うスピーカやマイクロフォンが設けられていてもよい。
【００３４】
制御部２５は、例えばコンピュータにより構成されている。制御部２５は、操作コンソール３から入力される制御信号に基づいて、ＲＦ駆動部１５、勾配駆動部１６、データ収集部１７、モータ駆動部２０、表示駆動部２３のそれぞれに制御信号を出力する。
【００３５】
操作コンソール３は、データ処理部２７と、操作部２８と、表示部２９とを備えている。
【００３６】
操作部２８は、例えばキーボードやマウスなどの操作デバイスにより構成され、操作に応じた信号を出力する。表示部２９は、例えば液晶表示装置により構成され、入力された映像信号に応じた画像を表示する。
【００３７】
データ処理部２７は、例えばコンピュータにより構成されている。データ処理部２７は、操作部２８から出力された信号に応じた制御信号を制御部２５に出力する。また、データ処理部２７は、データ収集部１７が収集した磁気共鳴信号を取得し、その取得した磁気共鳴信号に対して画像処理を行って、被検体のスライスについての画像を生成し、その生成した画像の映像信号を表示部２９に出力する。
【００３８】
図１に示した複数のケーブル４には、例えば、制御部２５とデータ処理部２７とを接続するケーブル、データ収集部１７とデータ処理部２７とを接続するケーブルが含まれている。
【００３９】
図３（ａ）は、ペデストル７の基体４１の概要を示す斜視図である。なお、図３（ａ）は、ペデストル７の出荷時に利用されるパイプ４９−１、４９−２（以下、単に「パイプ４９」といい、両者を区別しないことがある。）を基体４１に取り付けた状態を示している。
【００４０】
基体４１は、ＲＦ駆動部１５、勾配駆動部１６、データ収集部１７、モータ１９、モータ駆動部２０、表示部２２、表示駆動部２３及び制御部２５等の動作部が取り付けられるものである。これらの動作部は、基体４１の内部に設けられてもよいし、外部に設けられてもよい。
【００４１】
基体４１は、ステンレス等の非磁性体の材料により形成されている。基体４１は、クレードル５を移動可能に支持する支持部８のうち、撮像空間Ｂの入出口Ｂａ（図１）の反対側の端部を構成する上構造部４２と、上構造部を支持する下構造部４３とを備えている。
【００４２】
上構造部４２は、クレードル５が載置される載置面４２ａを有している。載置面４２ａはクレードル５を移動可能に支持する搬送路８ａの一部を構成している。クレードル５は、例えば、クレードル５の下面に設けられた車輪が載置面４２ａを含む搬送路８ａを転がることにより、搬送路８ａを移動可能である。載置面４２ａ上には可動部４４が設けられる。可動部４４は、クレードル５に対して固定され、モータ１９からの駆動力が伝達されて載置面４２ａ上を移動する。可動部４４には、表示部２２が設けられている。
【００４３】
下構造部４３は、骨組構造と壁式構造とを組み合わせて構成されており、壁式構造により構成されている下方側に、クレードル５の搬入搬出方向に沿う両側面を構成する第１板状部材４５Ａ、第２板状部材４５Ｂ（以下、単に「板状部材４５」といい、両者を区別しないことがある。）を備えている。下構造部４３のクレードル５の搬入搬出方向（矢印ｙ１）に直交する方向の幅、すなわち、第１板状部材４５Ａ及び第２板状部材４５Ｂの距離は、上構造部４２の幅よりも狭く設定されている。
【００４４】
第１板状部材４５Ａには、第１孔部４７Ａ−１、４７Ａ−２（以下、単に「第１孔部４７Ａ」といい、両者を区別しないことがある。）が設けられている。第２板状部材４５Ｂには、第２孔部４７Ｂ−１、４７Ｂ−２（以下、単に「第２孔部４７Ｂ」といい、両者を区別しないことがある。また、単に「孔部４７」といい、第１孔部４７Ａと第２孔部４７Ｂとを区別しないことがある。）が設けられている。
【００４５】
第１孔部４７Ａ−１及び第２孔部４７Ｂ−１にはパイプ４９−１が挿通されている。第１孔部４７Ａ−２及び第２孔部４７Ｂ−２にはパイプ４９−２が挿通されている。パイプ４９は、第１板状部材４５Ａから第１孔部４７Ａを介して外方へ突出しており、その突出部分には複数のケーブル４を巻き付け可能である。
【００４６】
図３（ｂ）は、パイプ４９に複数のケーブル４を巻きつけた状態を示している。ただし、図３（ｂ）では、複数のケーブル４のうち一本のみを例示している。なお、図３（ｂ）は、ペデストル７の出荷時の状態を示している。
【００４７】
ケーブル４は、２本のパイプ４９に対して、互いに反対方向へ交互に巻かれ、すなわち、８の字に巻かれている。そして、一方の端部４ａは基体４１に取り付けられたデータ収集部１７や制御部２５等の各部にコネクタなどを介して接続されている。他方の端部４ｂは、操作コンソール３にコネクタなどを介して接続される予定の端部である。
【００４８】
図４は、板状部材４５及びパイプ４９を図３のＩＶ−ＩＶ線矢視方向において示す断面図である。
【００４９】
第１孔部４７Ａは第２孔部４７Ｂよりも高い位置に配置されている。従って、パイプ４９は、第１板状部材４５側、すなわち、複数のケーブル４が掛架される側が高くなるように、第１板状部材４５Ａ及び第２板状部材４５Ｂに掛架される。
【００５０】
パイプ４９には、第１板状部材４５Ａのうち第１孔部４７Ａを形成する下方側の縁部４５ａが挿入される係合溝４９ａと、前記第２板状部材４５Ｂのうち第２孔部４７Ｂを形成する上方側の縁部４５ｂが挿入される係合溝４９ｂとが形成されている。
【００５１】
複数のケーブル４がパイプ４９に掛架されていない状態では、パイプ４９は、縁部４５ａ及び係合溝４９ａが互いに係合することにより、パイプ４９の長手方向において位置決めされる。複数のケーブル４がパイプ４９に掛架された状態では、パイプ４９は、複数のケーブル４の荷重により、矢印ｙ５及びｙ６により示すように、係合溝４９ａ及び縁部４５ａを支点として、第１板状部材４５Ａ側が上方へ、第２板状部材４５Ｂ側が下方へ変位するように回転し、縁部４５ｂ及び係合溝４９ｂが互いに係合する。従って、パイプ４９は、縁部４５ａ及び係合溝４９ａに加えて、縁部４５ｂ及び係合溝４９ｂによりパイプ４９の長手方向において位置決めされる。
【００５２】
以上に説明したＭＲＩ装置１の出荷は、以下のように行われる。
【００５３】
クレードル５及びマグネット部６と、ペデストル７とは互いに分離して搬送される。搬送時のペデストル７は、ＲＦ駆動部１５、勾配駆動部１６、データ収集部１７、モータ１９、モータ駆動部２０、表示部２２、表示駆動部２３、制御部２５、可動部４４、モータ１９の回転を可動部４４に伝達する不図示の伝達機構等の最終的にペデストル７に設けられる各部が基体４１に取り付けられた状態である。ただし、これらの一部を種々の事情に応じて基体４１と別個に搬送することも可能である。複数のケーブル４は、一方の端部４ａがデータ収集部１７や制御部２５等のペデストル７に設けられた各部に接続され、かつ、パイプ４９に８の字状に巻かれている。
【００５４】
ペデストル７は、スキャンルームＲ１に搬送されると、マグネット部６との位置関係が固定されるように設置される。例えばボルト等の固定部材により、マグネット部６に、あるいは、スキャンルームＲ１の床面に固定される。また、複数のケーブル４の他方の端部４ｂは操作ルームＲ２に設置された操作コンソール３に接続される。この際、複数のケーブル４は、配線に必要な量がパイプ４９から順次解かれて引き延ばされる。そして、複数のケーブル４の余剰分は、テープなどで束ねられた後にパイプ４９から引き抜ぬかれる等の方法により、８の字を保ったまま、パイプ４９から取り外されてピット等に収納される。その後、パイプ４９は、板状部材４５から引き抜かれて処分される。
【００５５】
以上の実施形態によれば、ＭＲＩ装置１は、出荷時において、基体４１と、基体４１に設けられたデータ収集部１７等の動作部と、基体４１から突出する２本のパイプ４９と、２本のパイプ４９に８の字に掛架され、一方の端部４ａが動作部に電気的に接続された複数のケーブル４とを備えているから、インスタレーションにおいて、複数のケーブル４を動作部に接続する接続作業と、複数のケーブル４の余剰分を８の字に巻く作業とが削減され、複数のケーブル４の配線時間を短縮できる。しかも、一方向に巻いてあった複数のケーブル４を解いて８の字に巻き直した場合には、複数のケーブル４に捩れが生じるが、そのようなおそれもない。
【００５６】
基体４１は、マグネット部６に対して固定及び分離可能であり、すなわち、ペデストル７はマグネット部６とは別個に搬送可能であり、複数のケーブル４を接続した状態であっても比較的コンパクトであり、搬送が容易である。
【００５７】
基体４１は、クレードル５を支持する上構造部４２と、上構造部４２を支持し、上構造部４２よりも幅が狭い下構造部４３を有し、複数のケーブル４はパイプ４９のうち下構造部４３の側面から突出した部分に掛架されているから、複数のケーブル４が側面に配置されることによる搬送時のペデストル７全体の幅の増加が抑えられる。
【００５８】
ペデストル７は、マグネット部６のうちクレードル５の撮像空間Ｂへの入出口Ｂａとは反対側に配置されるものであるから、パイプ４９を挿通する孔部４７などによりＭＲＩ装置１の外観が損なわれたとしても、被検体Ｈ１の目に触れやすい部分、換言すれば、ＭＲＩ装置１の顔となる部分には影響がない。
【００５９】
複数のケーブル４を掛架する手段は、孔部４７にパイプ４９を挿通して構成されていることから、構成が簡素であり、また、インスタレーション後にパイプ４９を引き抜いて不要な突起を無くすことができる。さらに、板状部材４５は壁式構造の壁としても機能するから、基体４１の強度を確保しつつ基体４１の小型化も図られる。
【００６０】
第１板状部材４５Ａに形成された第１孔部４７Ａは、第２板状部材４５Ｂに形成された第２孔部４７Ｂよりも高い位置に設けられており、パイプ４９は複数のケーブル４が掛架される側が高くなっているから、パイプ４９の先端から複数のケーブル４が自重等により抜け落ちることが防止される。
【００６１】
パイプ４９には、第１板状部材４５Ａのうち第１孔部４７Ａを形成する下方側の縁部４５ａが挿入される係合溝４９ａと、第２板状部材４５Ｂの第２孔部４７Ｂを形成する上方側の縁部４５ｂが挿入される係合溝４９ｂとが形成されているから、簡素な構成でパイプ４９の長手方向においてパイプ４９を位置決めできる。
【００６２】
なお、以上の実施形態において、ＭＲＩ装置１は、パイプ４９に複数のケーブル４が８の字に掛架された状態、パイプ４９が板状部材４５の孔部４７に挿通されているが、複数のケーブル４はパイプ４９に巻かれていない状態（巻かれる前若しくは取り外された後）、板状部材４５に孔部４７が設けられているがパイプ４９が挿通されていない状態（挿通される前若しくは取り外された後）のいずれの状態においても、本発明の磁気共鳴撮像装置の一例である。
【００６３】
また、以上の実施形態において、データ収集部１７や制御部２５は本発明の動作部の一例であり、パイプ４９は本発明の棒状部材の一例であり、ペデストル７は本発明の磁気共鳴撮像装置の一部を構成するユニットの一例である。
【００６４】
本発明は、以上の実施形態に限定されず、種々の態様で実施してよい。
【００６５】
棒状部材が配置される基体は、複数のケーブルが接続されるユニットを構成するものであればよく、クレードルの撮像空間への入出口の反対側に配置されるペデストルの基体に限定されない。例えば、撮像空間への入出口側に設けられるユニットの基体、クレードルの撮像空間への搬入方向に対して側方に設けられるユニットの基体、マグネット部の基体であってもよい。
【００６６】
動作部は、磁気共鳴撮像装置における被検体の画像生成に関る動作を行うものであればあらゆるものを含み、クレードルの搬送、磁場の発生、磁気共鳴信号の受信、及び、被検体との交信に関るものに限定されない。例えば、ボア内を照明する照明装置であってもよいし、収集したデータからノイズを除去するフィルタ回路であってもよい。
【００６７】
棒状部材は、複数のケーブルを掛架可能であればよく、パイプのように中空状のものに限定されず、中実のものであってもよい。なお、複数のケーブルを掛架可能か否かは、主として棒状部材の強度により判断可能である。例えば、実施形態のように複数のケーブルの荷重が棒状部材に加わる場合には、その荷重により折れない強度が必要である。また、例えば、棒状部材が鉛直に設けられており、複数のケーブルの荷重が棒状部材に加わらないような場合には、複数のケーブルを棒状部材に巻いたり、棒状部材から解いたりする作業において折れない強度が必要である。複数のケーブルを掛架可能な棒状部材が挿通される孔部であるか否かは、孔部の径から棒状部材の強度を推定することにより判断可能である。
【００６８】
棒状部材の断面形状は適宜に設定してよく、例えば矩形でもよいし、長手方向に沿って断面形状が変化してもよい。長手方向に沿って断面形状を変化させる場合には、例えば基体から突出する側を拡径させてケーブルの抜け落ちを防止することができる。棒状部材は、ケーブルを巻き付け可能な部位を有していればよく、湾曲したり、折れ曲がったりしていてもよいし、中途に抜け止め部材などが設けられていてもよい。棒状部材は、ケーブルを８の字に巻くためには少なくとも２本が必要であるが、３本以上の棒状部材を設けてもよい。３本以上の棒状部材を設ける場合には、例えば、ケーブルの８の字のうち一方の円が掛架される２本以上の棒状部材の間隔を適宜に設定することにより、当該一の円の半径を規定することができる。また、２本の棒状部材の間隔や向きは適宜に設定してよい。例えば、基体から突出する側ほど２本の棒状部材の間隔が大きくなるようにし、ケーブルの抜け落ちを防止することができる。
【００６９】
棒状部材の取り付けは、板状部材の孔部に挿通するものに限定されない。例えば、骨組構造で構成された基体に、棒状部材を挿通可能なリング部を設けてもよい。また、棒状部材は基体に着脱可能に設けられていなくてもよく、基体に固定されていてもよい。
【図面の簡単な説明】
【００７０】
【図１】本発明の実施形態の磁気共鳴撮像装置の構成及び配置の概略を示す平面図。
【図２】図１の磁気共鳴撮像装置の信号処理系の構成の概略を示すブロック図。
【図３】図１の磁気共鳴撮像装置のペデストルを説明する図。
【図４】図３のＩＶ−ＩＶ線の断面図。
【符号の説明】
【００７１】
１…磁気共鳴撮像装置、４１…基体、１７…データ収集部（動作部）、２５…制御部（動作部）、４９…パイプ（棒状部材）、４…ケーブル。
【図１】
2007330595.tif 000003
【図２】
2007330595.tif 000004
【図３】
2007330595.tif 000005
【図４】
2007330595.tif 000006